(57)【要約】【課題】カメラの姿勢によらず、安定して音声情報を得ることができるようにカメラを保持するカメラ保持器具を提供する。【解決手段】三脚取付座であるカメラ保持器具１０にマイク１２を内蔵する。カメラ保持器具１０とカメラ１との間は、通信ケーブル１３により接続して、マイク１２が取得する音声情報をカメラ１へ伝える。レンズ固定ねじ１１を緩めてカメラ１の姿勢を横位置に変えても、マイク１２の位置は変わらず、安定して音声情報を取得することができる。【選択図】図１
2006295718.tif 000002
【特許請求の範囲】
【請求項１】
カメラを直接、又は、間接的に保持するカメラ保持器具であって、
音声情報を取得するマイクが固定されているカメラ保持器具。
【請求項２】
請求項１に記載のカメラ保持器具において、
前記マイクが取得する音声情報をカメラへ伝達する通信手段を備えること、
を特徴とするカメラ保持器具。
【請求項３】
カメラを直接、又は、間接的に保持するカメラ保持器具であって、
音声情報を取得するマイクを取り付けるマイク取付部を有しているカメラ保持器具。
【請求項４】
請求項３に記載のカメラ保持器具において、
前記マイク取付部は、異なる位置に複数箇所設けられていること、
を特徴とするカメラ保持器具。
【請求項５】
請求項１から請求項４までのいずれか１項に記載のカメラ保持器具において、
三脚とレンズ鏡筒との間に設けられ、前記レンズ鏡筒を保持するレンズ鏡筒保持部を有し、前記レンズ鏡筒を保持することにより間接的にカメラを三脚に対して保持する三脚取付座であって、
前記レンズ保持部は、前記レンズ鏡筒の光軸付近を中心として前記レンズ鏡筒を保持する向きを少なくとも９０°変更することができ、
前記マイク、又は、前記マイク取付部は、前記レンズ鏡筒を保持する向きを変更しても移動しない位置に設けられていること、
を特徴とするカメラ保持器具。
【請求項６】
請求項１から請求項４までのいずれか１項に記載のカメラ保持器具において、
三脚と前記カメラとの間に設けられ、直接前記カメラを三脚に対して保持する雲台であって、
前記カメラの三脚に対する取り付け角度を任意に変更することができ、
前記マイク、又は、前記マイク取付部は、前記カメラの三脚に対する取り付け角度を変更しても移動しない位置に設けられていること、
を特徴とするカメラ保持器具。
【発明の詳細な説明】
【技術分野】
【０００１】
本発明は、音声情報を利用可能なカメラに使用するカメラ保持器具に関するものである。
【背景技術】
【０００２】
デジタルカメラでは、動画や静止画に音声を付けることができるものがすでに市場に流通している。また、例えば、特許文献１のような提案もされている。これらのカメラでは、いずれもマイクがカメラに設けられていた。
しかし、マイクがカメラに設けられていると、三脚にカメラを取り付けて使用する場合に、以下のような問題があった。
【０００３】
三脚にカメラを取り付けて撮影をするときに、カメラの姿勢を例えば、縦位置と横位置とで変えるような場合には、音声を取得するときのマイクの方向がカメラの姿勢によって変わってしまい、マイクの指向性が高いと、カメラの姿勢により得られる音声情報が異なってしまうという問題があった。
【０００４】
また、無指向性のマイクがカメラに設けられている場合においても、カメラの姿勢によっては、三脚などの障害物がマイクの前面等に位置すると、姿勢の違いにより得られる音声情報が異なってしまうという問題があった。
【特許文献１】特開平９−９１２２号公報
【発明の開示】
【発明が解決しようとする課題】
【０００５】
本発明の課題は、カメラの姿勢によらず、安定して音声情報を得ることができるようにカメラを保持するカメラ保持器具を提供することである。
【課題を解決するための手段】
【０００６】
前記課題を解決するために、請求項１の発明は、カメラを直接、又は、間接的に保持するカメラ保持器具であって、音声情報を取得するマイクが固定されているカメラ保持器具である。
請求項２の発明は、請求項１に記載のカメラ保持器具において、前記マイクが取得する音声情報をカメラへ伝達する通信手段を備えること、を特徴とするカメラ保持器具である。
請求項３の発明は、カメラを直接、又は、間接的に保持するカメラ保持器具であって、音声情報を取得するマイクを取り付けるマイク取付部を有しているカメラ保持器具である。
請求項４の発明は、請求項３に記載のカメラ保持器具において、前記マイク取付部は、異なる位置に複数箇所設けられていること、を特徴とするカメラ保持器具である。
請求項５の発明は、請求項１から請求項４までのいずれか１項に記載のカメラ保持器具において、三脚とレンズ鏡筒との間に設けられ、前記レンズ鏡筒を保持するレンズ鏡筒保持部を有し、前記レンズ鏡筒を保持することにより間接的にカメラを三脚に対して保持する三脚取付座であって、前記レンズ保持部は、前記レンズ鏡筒の光軸付近を中心として前記レンズ鏡筒を保持する向きを少なくとも９０°変更することができ、前記マイク、又は、前記マイク取付部は、前記レンズ鏡筒を保持する向きを変更しても移動しない位置に設けられていること、を特徴とするカメラ保持器具である。
請求項６の発明は、請求項１から請求項４までのいずれか１項に記載のカメラ保持器具において、三脚と前記カメラとの間に設けられ、直接前記カメラを三脚に対して保持する雲台であって、前記カメラの三脚に対する取り付け角度を任意に変更することができ、前記マイク、又は、前記マイク取付部は、前記カメラの三脚に対する取り付け角度を変更しても移動しない位置に設けられていること、を特徴とするカメラ保持器具である。
【発明の効果】
【０００７】
本発明によれば、以下の効果を奏することができる。
請求項１の発明によれば、音声情報を取得するマイクが固定されているので、カメラが保持される姿勢によりマイクの位置が変化することがなく、カメラの姿勢に関わらず音声情報を安定した状態で取得することができる。
【０００８】
請求項２の発明によれば、マイクが取得する音声情報をカメラへ伝達する通信手段を備えるので、音声情報をカメラで容易に記録したり利用したりすることができる。
【０００９】
請求項３の発明によれば、音声情報を取得するマイクを取り付けるマイク取付部を有しているので、カメラが保持される姿勢によりマイクの位置が変化することがなく、カメラの姿勢に関わらず音声情報を安定した状態で取得することができる。また、用途に応じてマイクを適宜変更することができる。さらに、マイクを取り付けない状態では、通常のカメラ保持器具として使用することができる。
【００１０】
請求項４の発明によれば、マイク取付部は、異なる位置に複数箇所設けられているので、撮影条件に最適なマイク位置で使用することができる。
【００１１】
請求項５の発明によれば、三脚取付座であって、レンズ保持部は、レンズ鏡筒の光軸付近を中心としてレンズ鏡筒を保持する向きを少なくとも９０°変更することができ、マイク、又は、マイク取付部は、レンズ鏡筒を保持する向きを変更しても移動しない位置に設けられているので、三脚取付座としての機能を損なうことなく、音声情報を安定した状態で取得することができる。
【００１２】
請求項６の発明によれば、雲台であって、カメラの三脚に対する取り付け角度を任意に変更することができ、マイク、又は、マイク取付部は、カメラの三脚に対する取り付け角度を変更しても移動しない位置に設けられているので、通常の雲台としての機能を損なうことなく、音声情報を安定した状態で取得することができる。
【発明を実施するための最良の形態】
【００１３】
カメラの姿勢によらず、安定して音声情報を得るという目的を、カメラ保持器具にマイクを装着又は装着可能とすることにより実現した。
【実施例１】
【００１４】
図１は、本発明によるカメラ保持器具の実施例１を示す図である。
実施例１におけるカメラ保持器具１０は、三脚３とレンズ鏡筒２との間に設けられ、レンズ鏡筒２を保持することにより間接的にカメラ１を三脚３に対して保持する三脚取付座である。
カメラ１は、静止画撮影を主たる目的とし、撮影レンズを交換可能なデジタルスチルカメラであるが、静止画の他に、音声の記録も行うことができる。
レンズ鏡筒２は、カメラ１に対して着脱自在な交換レンズである。
三脚３は、雲台３ａに設けられた不図示の三脚ねじを用いてカメラ等を固定する通常の三脚である。
カメラ保持器具１０は、レンズ固定ねじ１１，マイク１２，レンズ鏡筒保持部１６，三脚取付部１７等を有している。
【００１５】
レンズ鏡筒保持部１６は、レンズ鏡筒２に対してすきま嵌合してレンズ鏡筒２を保持している部分である。
レンズ固定ねじ１１は、レンズ鏡筒保持部１６に嵌合しているレンズ鏡筒２をカメラ保持器具１０に対して固定するねじである。レンズ固定ねじ１１を緩めると、レンズ鏡筒２は、レンズ鏡筒保持部１６に対してその光軸を中心として回転可能となる。従って、この状態でレンズ鏡筒２を光軸中心で回転させることにより、カメラ１の姿勢を縦位置と横位置との間で９０°変更することができる。なお、本実施例におけるカメラ保持器具１０は、レンズ固定ねじ１１以外には、レンズ鏡筒保持部１６とレンズ鏡筒２との間の回転を規制するものがないので、レンズ鏡筒２（カメラ１）は、その光軸を中心として自由な回転角度位置で保持可能である。
【００１６】
マイク１２は、被写体の声などの音声情報を取得することができるマイクロフォンである。なお、マイク１２が取得する音声情報とは、音声を単体で記録するものに限らず、静止画のデータに付加する音声であってもよい。
マイク１２は、レンズ鏡筒２を挟んで三脚取付部１７の略反対側に固定されている。従って、三脚３の雲台３ａの座面を略水平な状態としてカメラ保持器具１０を三脚３に対して取り付けた場合、マイク１２がレンズ鏡筒２の上部に配置される。
三脚取付部１７は、三脚３の雲台３ａに設けられた不図示の三脚ねじを使用して三脚３に対してカメラ保持器具１０を取り付ける部分である。
カメラ１とカメラ保持器具１０との間には、通信ケーブル１３が取り付けられている。
通信ケーブル１３は、そのコネクタ部１３ａ，１３ｂを使用してカメラ１とカメラ保持器具１０との間を電気的に接続し、マイク１２が取得する音声情報をカメラ１へ伝える通信手段である。
【００１７】
図２は、図１の状態からレンズ鏡筒２及びカメラ１を９０°回転して保持した状態を示す図である。
図２に示した状態は、横位置状態（撮影範囲の長手方向が略水平方向となる状態）であり、図１に示した縦位置状態（撮影範囲の長手方向が略垂直方向となる状態）からカメラ１及びレンズ鏡筒２を９０°回転した状態である。
図１及び図２のいずれの状態であっても、マイク１２は、常にレンズ鏡筒２の上方に位置している。このように、本実施例では、カメラの姿勢を変更しても、マイク１２の位置を常に一定の位置とすることができる。従って、常に安定して音声情報を取得することができる。
【００１８】
仮に、マイクがカメラ本体に内蔵されているとすると、カメラの姿勢によっては、三脚座により前方を遮られてしまうおそれがある。また、マイクが高い指向性を有している場合には、三脚座により遮られなくとも、マイクの向く方向が大きく変化するので、得られる音声情報がカメラの姿勢により大きく変化してしまう。
しかし、本実施例によれば、カメラ１の姿勢によらず、マイク１２の位置を一定に保つことができ、常に安定して音声情報を取得することができる。
【実施例２】
【００１９】
図３は、本発明によるカメラ保持器具の実施例２を示す図である。
実施例２におけるカメラ保持器具２０は、三脚３とレンズ鏡筒２との間に設けられ、レンズ鏡筒２を保持することにより間接的にカメラ１を三脚３に対して保持する三脚取付座である。
カメラ１，レンズ鏡筒２，三脚３については、実施例１と同様である。
カメラ保持器具２０は、レンズ固定ねじ２１，マイク取付部２４ａ，２４ｂ，２４ｃ，レンズ鏡筒保持部２６，三脚取付部２７等を有している。
レンズ固定ねじ２１，レンズ鏡筒保持部２６，三脚取付部２７は、実施例１におけるレンズ固定ねじ１１，レンズ鏡筒保持部１６，三脚取付部１７と同様な機能を有した部分である。
【００２０】
マイク取付部２４ａ，２４ｂ，２４ｃは、後述のマイク２２を取り付けることができる部分であり、本実施例では、マイク２２の係合凸部２２ａを嵌めることができるＴ字溝形状となっている。マイク取付部２４ａは、レンズ鏡筒２を挟んで三脚取付部２７の略反対側に配置されている。マイク取付部２４ｂは、マイク取付部２４ａの位置からレンズ鏡筒２を中心として略４５°ずれた位置に配置され、マイク取付部２４ｃは、マイク取付部２４ａの位置からレンズ鏡筒２を中心として略９０°ずれた位置に配置されている。
【００２１】
マイク２２は、被写体の声などの音声情報を取得することができるマイクロフォンであり、略Ｔ字型に形成された係合凸部２２ａが設けられている。この係合凸部２２ａをマイク取付部２４ａ，２４ｂ，２４ｃの内で、撮影者が任意に選択した位置に嵌めることにより、マイク２２を選択した任意の位置に取り付けることができる。なお、図３では、マイク２２が、マイク取付部２４ａに取り付けられている状態を示している。
また、マイク２２には、通信ケーブル２３が通信手段として一体的に取り付けられている。通信ケーブル２３の一端は、コネクタ部２３ａとなっており、カメラ１に接続され、マイク２２が取得する音声情報をカメラ１へ伝えることができる。
【００２２】
図４は、図３の状態からレンズ鏡筒２及びカメラ１を９０°回転して保持した状態を示す図である。
図４に示した状態は、横位置状態であり、図３に示した縦位置状態からカメラ１及びレンズ鏡筒２を９０°回転した状態である。
図３及び図４のいずれの状態であっても、マイク２２は、予め選択して取り付けたレンズ鏡筒２の上方に位置している。このように、本実施例では、カメラの姿勢を変更しても、マイク２２の位置を一定の位置とすることができる。従って、常に安定して音声情報を取得することができる。
【００２３】
図５は、カメラ１の姿勢を図３と同じ縦位置状態としたままでマイク２２の取り付け位置を変更した状態を示す図である。
撮影状況によっては、マイクがレンズ鏡筒２の上方に位置することが必ずしも良いとはいえない場合があり、そのような場合には、例えば、図５のようにマイク２２の位置を適宜変更することができる。そして、この変更したマイク２２の位置は、その後にカメラ１の姿勢を変更しても変わることがなく、安定した状態で音声情報を取得することができる。
【実施例３】
【００２４】
図６は、本発明によるカメラ保持器具の実施例３を示す図である。
実施例３におけるカメラ保持器具３０は、三脚３とカメラ１Ｂとの間に設けられ、直接カメラ１Ｂを三脚３に対して保持する雲台である。なお、図６では、三脚３に備わる雲台３ａ上にさらにカメラ保持器具３０を固定した例を示しているが、雲台３ａを取り外して三脚３の脚部分に直接カメラ保持器具３０を固定して使用してもよい。
カメラ１Ｂは、静止画撮影を主たる目的とするデジタルスチルカメラであり、静止画の他に、動画の撮影も行うことができ、動画の撮影時に音声を動画と同期させて記録することができる。なお、実施例１では、撮影レンズを交換可能なカメラであったが、本実施例では、撮影レンズが交換可能であってもよいし、撮影レンズの交換が不可能なカメラであってもよい。
三脚３は、雲台３ａに設けられた不図示の三脚ねじを用いてカメラ等を固定する通常の三脚である。
【００２５】
カメラ保持器具３０は、カメラ台３１，マイク取付部３４，カメラ台固定ねじ３５等を有している。
カメラ台３１は、カメラを取り付ける台であり、不図示の三脚ねじが取り付けられている。カメラ台３１は、ボールジョイント部３１ａ（図７参照）を中心として所定の範囲で回転自在となっている。カメラ台固定ねじ３５は、ボールジョイント部３１ａを中心とするカメラ台３１の移動を固定、及び、固定解除するねじである。
マイク取付部３４は、三脚３に対して移動しないカメラ保持器具３０の本体部分に形成され、マイク３２を取り付け可能な部分であり、マイク３２が着脱自在となるように係合形状が形成されている。
【００２６】
マイク３２は、被写体の声などの音声情報を取得することができるマイクロフォンであり、マイク取付部３４に対応した係合部が設けられている。この係合部をマイク取付部３４に嵌めることにより、マイク３２をカメラ保持器具３０に取り付けることができる。
また、マイク３２には、通信ケーブル３３が通信手段として一体的に取り付けられている。通信ケーブル３３の一端は、コネクタ部３３ａとなっており、カメラ１Ｂに接続され（図７参照）、マイク３２が取得する音声情報をカメラ１Ｂへ伝えることができる。
【００２７】
図７は、図６の状態からカメラ１Ｂをカメラ台３１と共に９０°回転して保持した状態を示す図である。
図７に示した状態は、縦位置状態であり、図６に示した横位置状態からカメラ１Ｂを９０°回転した状態である。
図６及び図７のいずれの状態であっても、マイク３２を取り付けたカメラ保持器具３０の本体部分は、三脚３に対して位置が不変である。このように、本実施例では、カメラの姿勢を変更しても、マイク３２の位置を常に一定の位置とすることができる。従って、常に安定して音声情報を取得することができる。
また、カメラ保持器具３０は、雲台であることから、三脚穴を備えたカメラであればどのようなカメラであっても使用することができる。
さらに、マイク３２は、カメラ保持器具３０に対して着脱自在であることから、マイク３２を取り外せば、通常の雲台として利用することもできる。
【実施例４】
【００２８】
図８は、本発明によるカメラ保持器具の実施例４を示す図である。
実施例４は、マイク４２をカメラ保持器具４０に内蔵した例であり、その他の部分は、実施例３と同様な形態をしている。従って、前述した実施例３と同様の機能を果たす部分には、同一の符号、又は、末尾に同一の符号を付して、重複する説明を適宜省略する。
実施例４におけるカメラ保持器具４０は、三脚３とカメラ１Ｂとの間に設けられ、直接カメラ１Ｂを三脚３に対して保持する雲台である。
【００２９】
カメラ保持器具４０は、カメラ台４１，マイク４２，カメラ台固定ねじ４５等を有している。
マイク４２は、被写体の声などの音声情報を取得することができるマイクロフォンであり、三脚３に対して移動しないカメラ保持器具４０の本体部分に内蔵されている。
カメラ１Ｂとカメラ保持器具４０との間には、通信ケーブル４３が取り付けられている。
通信ケーブル４３は、そのコネクタ部４３ａ，４３ｂ（図９参照）を使用してカメラ１Ｂとカメラ保持器具４０との間を電気的に接続し、マイク４２が取得する音声情報をカメラ１Ｂへ伝える通信手段である。
【００３０】
図９は、図８の状態からカメラ１Ｂをカメラ台４１と共に９０°回転して保持した状態を示す図である。
図８及び図９のいずれの状態であっても、マイク４２を内蔵したカメラ保持器具４０の本体部分は、三脚３に対して位置が不変である。このように、本実施例では、カメラの姿勢を変更しても、マイク４２の位置を常に一定の位置とすることができる。従って、常に安定して音声情報を取得することができる。
また、カメラ保持器具４０は、雲台であることから、三脚孔を備えたカメラであればどのようなカメラであっても使用することができる。
さらに、マイク４２は、着脱自在な通信ケーブル４３によりカメラ１Ｂとの電気的な接続がされているので、通信ケーブル４３を取り外せば、通常の雲台として利用することもできる。
【００３１】
（変形例）
以上説明した実施例に限定されることなく、種々の変形や変更が可能であって、それらも本発明の均等の範囲内である。
（１）各実施例において、マイクが取得する音声情報は、音声そのものを記録したり、動画撮影時に同時録音したりする音声に限らず、音声認識を利用した制御に用いる音声情報、被写体の音声の方向、音圧などに関する音声情報などであってもよい。
【００３２】
（２）各実施例において、マイクが取得する音声情報をカメラに伝える通信手段として通信ケーブルを使用した例を示したが、これに限らず、例えば、接触端子をカメラ及びカメラ保持器具それぞれの対応する位置に設けて通信手段としてもよいし、赤外線通信などの光通信、電波を利用した無線通信などを通信手段としてもよい。
【００３３】
（３）実施例３において、マイク取付部３４が１箇所設けられている例を示したが、これに限らず、例えば、複数箇所設けてもよい。
【図面の簡単な説明】
【００３４】
【図１】本発明によるカメラ保持器具の実施例１を示す図である。
【図２】図１の状態からレンズ鏡筒２及びカメラ１を９０°回転して保持した状態を示す図である。
【図３】本発明によるカメラ保持器具の実施例２を示す図である。
【図４】図３の状態からレンズ鏡筒２及びカメラ１を９０°回転して保持した状態を示す図である。
【図５】カメラ１の姿勢を図３と同じ縦位置状態としたままでマイク２２の取り付け位置を変更した状態を示す図である。
【図６】本発明によるカメラ保持器具の実施例３を示す図である。
【図７】図６の状態からカメラ１Ｂをカメラ台３１と共に９０°回転して保持した状態を示す図である。
【図８】本発明によるカメラ保持器具の実施例４を示す図である。
【図９】図８の状態からカメラ１Ｂをカメラ台４１と共に９０°回転して保持した状態を示す図である。
【符号の説明】
【００３５】
１：カメラ、２：レンズ鏡筒、３：三脚、１０，２０，３０，４０：カメラ保持器具、１２，２２，３２，４２：マイク、１３，２３，３３，４３：通信ケーブル、１６，２６：レンズ鏡筒保持部、２４ａ，２４ｂ，２４ｃ，３４：マイク取付部
【図１】
2006295718.tif 000003
【図２】
2006295718.tif 000004
【図３】
2006295718.tif 000005
【図４】
2006295718.tif 000006
【図５】
2006295718.tif 000007
【図６】
2006295718.tif 000008
【図７】
2006295718.tif 000009
【図８】
2006295718.tif 000010
【図９】
2006295718.tif 000011